(57)【要約】      （修正有）【課題】簡易火葬設備を死体の現場に直接設置する必要がなく、死体の現場に移動して簡便に死体を火葬するとともに、死体の火葬過程で発生する廃熱、粉塵及び悪臭による各種環境汚染を防止する移動式一体型火葬設備を提供する。【解決手段】牽引及び停車が可能なトレーラー１００と、死体を燃消させるための焼却炉２００と、前記焼却炉から排出される廃熱を冷却させるための冷却装置３００と、前記排出される廃熱中に含まれた粉塵及び悪臭を除去するための集塵装置４００と、前記粉塵及び悪臭が除去された廃熱を排出させるための廃熱排出装置５００と、前記焼却炉の燃焼に必要な燃料を供給するためのガス供給装置６００と、前記各構成の運転に使用される電力を供給するための電気供給装置７００と、を含んでなるもので、車両を利用した牽引が可能であり、火葬の際に自然に発生する高温の廃熱を冷却させ、廃熱中に含まれた粉塵及び悪臭を除去して排出する。【選択図】図１
2010133693.tif 000002
【特許請求の範囲】
【請求項１】
牽引及び停車が可能なトレーラーと、死体を燃消させるための焼却炉と、前記焼却炉から排出される廃熱を冷却させるための冷却装置と、前記排出される廃熱中に含まれた粉塵及び悪臭を除去するための集塵装置と、前記粉塵及び悪臭が除去された廃熱を排出させるための廃熱排出装置と、前記焼却炉の燃焼に必要な燃料を供給するためのガス供給装置と、前記各構成装置の運転に使用される電力を供給するための電気供給装置と、を含んでなり、前記焼却炉は、死体を燃消させるための一つ以上のバーナーと、焼却の際に燃焼空気を供給するための第１ブロワーと、を備え、前記冷却装置は、冷風を供給して熱交換を行うようにする第２ブロワーを備え、前記焼却炉から発生した廃熱を１次冷却させる空冷式冷却装置と、水を貯蔵するための水槽と前記水槽から水を供給するためのポンプを備え、前記空冷式冷却装置で冷却された廃熱を２次冷却させる水冷式冷却装置と、を備える移動式一体型火葬設備において、
前記第１ブロワーの一側が焼却炉に連結され、他側が空冷式冷却装置に連結されることにより、空冷式冷却装置で熱交換された熱風（加熱された空気）を焼却炉の燃焼空気として供給するように構成されることを特徴とする、移動式一体型火葬設備。
【請求項２】
死体を引き上げるためのリフトが設置された一つのトレーラー上に焼却炉、冷却装置及びガス供給装置を設けられ、他のトレーラー上に冷却装置の水槽、廃熱排出装置、集塵装置、及び発電装置がそれぞれ設けられ、両トレーラーは移動して死体がある現場で並んで停車した後に連結されて作動することを特徴とする、請求項１に記載の移動式一体型火葬設備。
【発明の詳細な説明】
【技術分野】
【０００１】
本発明は死体を火葬するための火葬設備に係り、より詳しくは車両を利用した牽引が可能であるだけでなく、火葬の際に発生する高温の廃熱を冷却させ、廃熱中に含まれた粉塵及び悪臭を除去して排出するようにした移動式一体型火葬設備に関するものである。
【背景技術】
【０００２】
一般に、死体を火葬するためには、別の決まった火葬場に移送することが普通であるが、死体が伝染病などに感染している、あるいは感染される危険に露出された特別な状況では、伝染病の拡散を防ぐために、死体の移動が極めて制限されるしかなくなる。
【０００３】
このような場合、死体の火葬が遅延するしかないので、現場で直接感染した死体を火葬することができる移動式火葬設備が要求されている実情がある。
【発明の概要】
【発明が解決しようとする課題】
【０００４】
したがって、本発明は火葬設備を死体がある現場に移動することが非常に困難である従来の問題点を解決するためになされたもので、その目的は、簡易火葬設備を死体がある現場に直接設置する必要なしに、死体がある現場に移動して簡便に死体を火葬することはもちろんのこと、死体の火葬過程で発生する廃熱、粉塵及び悪臭による各種環境汚染を防止する移動式一体型火葬設備を提供することにある。
【課題を解決するための手段】
【０００５】
前記目的を達成するために、本発明による移動式一体型火葬設備は、牽引及び停車が可能なトレーラーと、死体を燃消させるための焼却炉と、前記焼却炉から排出される廃熱を冷却させるための冷却装置と、前記排出される廃熱中に含まれた粉塵及び悪臭を除去するための集塵装置と、前記粉塵及び悪臭が除去された廃熱を排出させるための廃熱排出装置と、前記焼却炉の燃焼に必要な燃料を供給するためのガス供給装置と、前記各構成の運転に使用される電力を供給するための電気供給装置と、を含んでなる。
【０００６】
本発明において、トレーラーは死体を焼却炉の入口に引き上げるためのリフトを備え、２台以上を備えて、前記各構成を分けて搭載した状態で連結して稼動するように構成される。
【０００７】
焼却炉は、死体を燃消させるための一つ以上のバーナーと、焼却の時燃焼空気を供給するための第１ブロワーと、を備える。
【０００８】
冷却装置は、前記焼却炉から発生した廃熱を１次冷却させる空冷式冷却装置、及び前記空冷式冷却装置で冷却された廃熱を２次冷却させる水冷式冷却装置からなり、前記空冷式冷却装置は、冷風を供給して熱交換を行うようにする第２ブロワーを備え、前記水冷式冷却装置は、水を貯蔵するための水槽と、前記水槽から前記水冷式冷却装置に水を供給するためのポンプと、を備える。
【０００９】
集塵装置は、前記廃熱中に含まれた粉塵を除去するためのパルス集塵装置、及び前記廃熱中に含まれた悪臭を除去するための電気集塵装置からなる。
【００１０】
前記廃熱排出装置は、廃熱を排出させるための煙突と、前記煙突を通じて廃熱を強制に排出させるための第３ブロワーと、前記第３ブロワーの排出口側に設置され、騷音を減らすためのマフラーと、からなる。
【発明の効果】
【００１１】
本発明は、それぞれの構成装置が移動可能なトレーラーに搭載されることで、一般道路を利用して死体がある現場に速かに牽引することができるので、死体の処理を容易に行うことができる。
【００１２】
また、本発明は、死体の火葬の際に自然に発生する廃熱を冷却させた後、廃熱中に含まれた各種粉塵及び悪臭を除去して排出させることにより、周辺の環境が汚染されることを防止しながら安全に使用することができる。
【発明を実施するための形態】
【００１３】
以下、本発明の具体的な実施例を添付図面に基づいて具体的に説明する。
【００１４】
図１は本発明が適用された移動式火葬設備を示す斜視図、図２は本発明が適用された移動式火葬設備を示す平面図、図３は本発明が適用された移動式火葬設備を示す左側面図、図４は本発明が適用された移動式火葬設備を示す右側面図、図５は本発明が適用された移動式火葬設備のリフトを示す作用図である。
【００１５】
本発明の移動式火葬設備は、図１〜図５に示すように、牽引及び停車が可能なトレーラー１００ａ、１００ｂと、死体を燃消させるための焼却炉２００と、前記焼却炉２００から排出される廃熱を冷却させるための冷却装置３００ａ、３００ｂと、前記排出される廃熱中に含まれた粉塵及び悪臭を除去するための集塵装置４００ａ、４００ｂと、前記粉塵及び悪臭が除去された廃熱を排出させるための廃熱排出装置５００と、前記焼却炉２００の燃焼に必要な燃料を供給するためのガス供給装置６００と、前記各構成装置の運転に使用される電力を供給するための電気供給装置７００と、を含んでなる。
【００１６】
本発明において、トレーラー１００ａ、１００ｂはトラックやコンバインなどの牽引車両に連結して牽引することができ、牽引車両を分離した状態で独立的に停車可能になるように形成されたもので、搭載された火葬設備の移送及び設置が便利になるようにする。
【００１７】
前記トレーラー１００ａ、１００ｂは、死体を焼却炉２００の入口に引き上げるためのリフト１１０を備える。このリフト１１０は、移動時に折り畳まれるが使用時に展開されて昇降可能になるように設置される。
【００１８】
前記トレーラー１００ａ、１００ｂは、図面に示すように、２台またはそれ以上を備えて、各構成装置をそれぞれのトレーラー１００ａ、１００ｂに分けて搭載することができる。この場合、死体がある現場でトレーラー１００ａ、１００ｂを並んで停車させた後、各構成装置を互いに連結して稼動するようにする。
【００１９】
この際、前記リフト１１０は焼却炉が設置されたトレーラー１００ａにだけ設置することができる。
【００２０】
本発明において、焼却炉２００は死体を燃消させるためのものであって、図面に示すように、死体を燃消させるための一つ以上のバーナー２１０と、焼却の際に燃焼空気を供給するための第１ブロワー２２０と、を備えている。
【００２１】
前記焼却炉２００は、内部温度が８５０℃以上に加熱されるため、その内面を断熱材と耐火ブロックで仕上げることで、焼却炉２００を保護するとともに外部に熱が発散されることを遮断する。
【００２２】
本発明において、冷却装置３００ａ、３００ｂは焼却炉２００で死体を焼却した後に排出される高温の廃熱を冷却させるためのもので、８５０℃以上の廃熱を２００℃以下に低めるように構成される。
【００２３】
前記冷却装置３００ａ、３００ｂは、図面に示すように、焼却炉２００から発生した廃熱を６００℃以下に１次冷却させる空冷式冷却装置３００ａと、前記空冷式冷却装置３００ａによって冷却された廃熱を２００℃以下に２次冷却させる水冷式冷却装置３００ｂとから構成されることにより、段階的に円滑な冷却がなされるようにすることが好まししい。
【００２４】
前記空冷式冷却装置３００ａは、水冷式冷却装置３００ｂで処理する負荷を減らして、安定な運転が行われるようにする。
【００２５】
前記空冷式冷却装置３００ａは、冷風を供給して熱交換を引き起こす第２ブロワー３１０を備え、前記水冷式冷却装置３００ｂは、水を貯蔵するための水槽３２０と水槽３２０から水冷式冷却装置３００ｂに水を供給するためのポンプ３３０とを備える。
【００２６】
前記水冷式冷却装置３００ｂの水槽３２０は、円滑な冷却水の供給のために、少なくとも８トン以上の水を貯蔵するように構成される。
【００２７】
本発明において、前記第１ブロワー２２０は、一側が焼却炉２００に連結され、他側が空冷式冷却装置３００ａに連結されることにより、空冷式冷却装置３００ａで熱交換された熱風（加熱された空気）が焼却炉２００の燃焼空気に供給されるように構成されることが好まししい。
【００２８】
すなわち、第２ブロワー３１０によって外部の冷風（空気）が空冷式冷却装置３００ａ内に流入し、冷たい外部の風（空気）が熱交換されて熱風（加熱された空気）に変換される。この熱風（加熱された空気）が第１ブロワー２２０によって焼却炉２００の内側に供給されることにより、焼却炉２００の内部温度が低下することを防止することができるものである。
【００２９】
焼却炉２００の内部温度は８５０℃以上に加熱される。この焼却炉２００の内側に外部の冷風（空気）を供給する場合、死体を燃消させるために一層多くのバーナーを設置しなければならない。
【００３０】
本発明において、集塵装置４００ａ、４００ｂは冷却装置３００ａ、３００ｂから排出される廃熱中に含まれた粉塵及び悪臭を除去するためのものであって、図面に示すように、廃熱中に含まれた粉塵を１次に除去するためのパルス集塵装置４００ａと、廃熱中に含まれた悪臭を２次に除去するための電気集塵装置４００ｂと、を含んでなり、粉塵とにおいが段階的に除去されるようにする。
【００３１】
前記パルス集塵装置４００ａは、流入する廃熱がバッグフィルターを介して通過するようにすることでバッグフィルターに粉塵が濾過されるようにする。この際、前記バッグフィルターに過量の粉塵が濾されて廃熱の通過が難しくなれば、空気圧力を利用したパルスで粉塵を振り落とすことにより長期的な使用が可能になる。
【００３２】
前記電気集塵装置４００ｂは、雨季や低気圧の条件で換気が円滑ではないとき、火葬設備から発生する特有のにおいを除去し、磁場が形成された金属板の間に廃熱を通過させることにより、廃熱中にバッグフィルターを通過した微細粉塵とにおい粒子を電気の力で集めて除去する。
【００３３】
本発明において、廃熱排出装置５００は前記集塵装置４００ａ、４００ｂを通過して粉塵及び悪臭が除去された廃熱を排出させるためのものであって、煙突５１０と、前記煙突５１０を通じて廃熱を強制に排出させるための第３ブロワー５２０と、前記第３ブロワーの排出口側に設置され、騷音を減らすためのマフラー５３０と、を含んでなる。
【００３４】
本発明において、ガス供給装置６００は焼却炉２００の燃焼に必要な燃料を供給するためのもので、通常ガスタンクを連結して使用する。
【００３５】
前記ガス供給装置６００は、１００ｋｇ以上の気化器容量と１００ｋｇ以上の重圧調整器を設置して、ガスが安定して供給されるようにする。
【００３６】
本発明において、電気供給装置７００は、焼却炉２００、冷却装置３００ａ、３００ｂ、集塵装置４００ａ、４００ｂ、及び廃熱排出装置５００を運転させるための電力を供給するためのもので、５０Ｋｗ以上の発電容量を持つように設置する。
【００３７】
このように構成された本発明の移動式一体型火葬設備は、リフト１１０が設置された一つのトレーラー１００ａ上に、焼却炉２００、冷却装置３００ａ、３００ｂ及びガス供給装置６００を設置し、他のトレーラー１００ｂ上に水槽３２０、廃熱排出装置５００、集塵装置４００ａ、４００ｂ、及び発電装置７００をそれぞれ設置し、両トレーラーが移動して死体がある現場で並んで停車した後、連結されて作動することもできる。
【００３８】
本発明は各構成装置が移動可能なトレーラーに搭載されているため、一般道路を利用して死体がある現場に速かに牽引することができるので、死体の処理が一層容易になり、死体の火葬の際に発生する廃熱を冷却させた後、廃熱中に含まれた粉塵及び悪臭を除去して排出させることにより、周辺の環境が汚染することを防止するとともに安全に使用することができる。
【００３９】
以上説明したように、本発明は図面に示された一実施例に基づいて説明したが、これは例示的なものに過ぎなく、本技術分野の通常の知識を持った者であればこれから多様な変形及び均等な他の実施例が可能であることが理解可能であろう。したがって、本発明の真正な技術的な保護範囲は特許請求範囲の技術的思想によって決まるものであろう。
【産業上の利用可能性】
【００４０】
本発明は、車両を利用した牽引が可能であり、火葬の際に発生する高温の廃熱を冷却させ、廃熱中に含まれた粉塵及び悪臭を除去して排出する移動式一体型火葬設備に適用可能である。
【図面の簡単な説明】
【００４１】
【図１】本発明が適用された移動式火葬設備を示す斜視図である。
【図２】本発明が適用された移動式火葬設備を示す平面図である。
【図３】本発明が適用された移動式火葬設備を示す左側面図である。
【図４】本発明が適用された移動式火葬設備を示す右側面図である。
【図５】本発明が適用された移動式火葬設備のリフトを示す作用図である。
【符号の説明】
【００４２】
１００ａ、１００ｂ    トレーラー
１１０    リフト
２００    焼却炉
２１０    バーナー
２２０    第１ブロワー
３００ａ    空冷式冷却装置
３００ｂ    水冷式冷却装置
３１０    第２ブロワー
３２０    水槽
３３０    ポンプ
４００ａ    パルス集塵装置
４００ｂ    電気集塵装置
５００    廃熱排出装置
５１０    煙突
５２０    第３ブロワー
５３０    マフラー
６００    ガス供給装置
７００    電気供給装置
【図１】
2010133693.tif 000003
【図２】
2010133693.tif 000004
【図３】
2010133693.tif 000005
【図４】
2010133693.tif 000006
【図５】
2010133693.tif 000007